【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
尿管カテーテルであって、
排出管腔であって、前記排出管腔は、患者の腎臓、腎盂内、および／または前記腎盂に隣接する尿管内に位置付けられるように構成される遠位部分と、近位部分とを備え、前記遠位部分は、少なくとも１つの側壁を備える漏斗状支持体を備える保定部分を備え、前記漏斗状支持体は、第１の直径と、第２の直径とを備え、前記第１の直径は、前記第２の直径未満であり、前記第２の直径は、前記第１の直径より前記排出管腔の遠位部分の端部に近く、前記排出管腔の近位部分は、開口部が本質的にないかまたはない、排出管腔
を備える、尿管カテーテル。
【請求項２】
前記尿管および／または腎臓からの尿の流動は、前記カテーテルによる前記尿管および／または腎臓の閉塞によって妨害されない、請求項１に記載の尿管カテーテル。
【請求項３】
前記漏斗状支持体は、略円錐形形状を有する、請求項１に記載の尿管カテーテル。
【請求項４】
前記漏斗状支持体は、略半球形状を有する、請求項１に記載の尿管カテーテル。
【請求項５】
前記漏斗状支持体は、前記排出管腔の遠位部分に隣接する基部部分を備え、前記基部部分は、流体が前記排出管腔の近位部分の内部の中に流動することを可能にするために前記排出管腔の近位部分の内部と整合される少なくとも１つの開口部を備える、請求項１に記載の尿管カテーテル。
【請求項６】
前記基部部分の少なくとも１つの開口部は、約０．０５ｍｍ〜約４ｍｍに及ぶ直径を有する、請求項５に記載の尿管カテーテル。
【請求項７】
前記漏斗状支持体の少なくとも１つの側壁は、前記漏斗状支持体の中心軸に沿って高さを有する、請求項１に記載の尿管カテーテル。
【請求項８】
前記漏斗状支持体の少なくとも１つの側壁の高さは、約１ｍｍ〜約２５ｍｍに及ぶ、請求項７に記載の尿管カテーテル。
【請求項９】
前記漏斗状支持体の少なくとも１つの側壁の高さ対第２の直径の比は、約１：２５〜約５：１に及ぶ、請求項７に記載の尿管カテーテル。
【請求項１０】
前記基部部分の少なくとも１つの開口部は、約０．０５ｍｍ〜約４ｍｍに及ぶ直径を有し、前記漏斗状支持体の少なくとも１つの側壁の高さは、約１ｍｍ〜約２５ｍｍに及び、前記漏斗状支持体の第２の直径は、約５ｍｍ〜約２５ｍｍに及ぶ、請求項５に記載の尿管カテーテル。
【請求項１１】
前記漏斗状支持体の少なくとも１つの側壁は、前記少なくとも１つの側壁の高さに沿って連続する、請求項１に記載の尿管カテーテル。
【請求項１２】
前記漏斗状支持体の少なくとも１つの側壁は、中実壁を備える、請求項１に記載の尿管カテーテル。
【請求項１３】
前記漏斗状支持体の少なくとも１つの側壁は、バルーンから形成される、請求項１に記載の尿管カテーテル。
【請求項１４】
前記漏斗状支持体の少なくとも１つの側壁は、前記少なくとも１つの側壁の高さに沿って不連続である、請求項１に記載の尿管カテーテル。
【請求項１５】
前記漏斗状支持体の少なくとも１つの側壁は、少なくとも１つの開口部を備える、請求項１に記載の尿管カテーテル。
【請求項１６】
前記少なくとも１つの開口部は、約０．００２ｍｍ２〜約１００ｍｍ２に及ぶ面積を有する、請求項１に記載の尿管カテーテル。
【請求項１７】
前記漏斗状支持体の少なくとも１つの側壁は、少なくとも、第１の直径を有する第１のコイルと、第２の直径を有する第２のコイルとを備え、前記第１の直径は、前記第２の直径未満であり、前記第１のコイルの側壁の一部と前記第２のコイルの隣接する側壁の一部との間の最大距離は、約０ｍｍ〜約１０ｍｍに及ぶ、請求項１に記載の尿管カテーテル。
【請求項１８】
前記第１のコイルの第１の直径は、約１ｍｍ〜約１０ｍｍに及び、前記第２のコイルの第２の直径は、約５ｍｍ〜約２５ｍｍに及ぶ、請求項１７に記載の尿管カテーテル。
【請求項１９】
前記コイルの直径は、前記排出管腔の遠位端に向かって増加し、テーパ状または部分的テーパ状構成を有する螺旋構造をもたらす、請求項１７に記載の尿管カテーテル。
【請求項２０】
前記漏斗状支持体の少なくとも１つの側壁は、メッシュを備え、前記メッシュは、それを通して流体が前記排出管腔の中に流動することを可能にするための複数の開口部を有し、前記開口部の最大面積は、最大約１００ｍｍ２である、請求項１に記載の尿管カテーテル。
【請求項２１】
前記漏斗状支持体の少なくとも１つの側壁は、内向きに向いた側と、外向きに向いた側とを備え、前記内向きに向いた側は、流体が前記排出管腔の中に流動することを可能にするための少なくとも１つの開口部を備え、前記外向きに向いた側は、開口部が本質的にないかまたはない、請求項１に記載の尿管カテーテル。
【請求項２２】
前記少なくとも１つの開口部は、約０．００２ｍｍ２〜約１００ｍｍ２に及ぶ面積を有する、請求項２１に記載の尿管カテーテル。
【請求項２３】
前記第１のコイルは、半径方向内向きに向いた側と、半径方向外向きに向いた側とを備える側壁を備え、前記第１のコイルの半径方向内向きに向いた側は、流体が前記排出管腔の中に流動することを可能にするための少なくとも１つの開口部を備える、請求項１７に記載の尿管カテーテル。
【請求項２４】
前記第１のコイルは、半径方向内向きに向いた側と、半径方向外向きに向いた側とを備える側壁を備え、前記第１のコイルの半径方向内向きに向いた側は、流体が前記排出管腔の中に流動することを可能にするための少なくとも２つの開口部を備える、請求項１７に記載の尿管カテーテル。
【請求項２５】
前記第１のコイルは、半径方向内向きに向いた側と、半径方向外向きに向いた側とを備える側壁を備え、前記第１のコイルの半径方向外向きに向いた側は、１つ以上の開口部が本質的にないかまたはない、請求項１７に記載の尿管カテーテル。
【請求項２６】
前記第１のコイルは、半径方向内向きに向いた側と、半径方向外向きに向いた側とを備える側壁を備え、前記第１のコイルの半径方向内向きに向いた側は、流体が前記排出管腔の中に流動することを可能にするための少なくとも１つの開口部を備え、前記半径方向外向きに向いた側は、１つ以上の開口部が本質的にないかまたはない、請求項１７に記載の尿管カテーテル。
【請求項２７】
前記排出管腔の側壁上の少なくとも１つの開口部は、負圧によって、前記排出管腔の中への流体流動を可能にする、請求項１５に記載の尿管カテーテル。
【請求項２８】
前記排出管腔の保定部分はさらに、流体が前記排出管腔の中に流動することを可能にするための開放遠位端を備える、請求項１に記載の尿管カテーテル。
【請求項２９】
前記漏斗状支持体は、第３の直径を備え、前記第３の直径は、前記第２の直径未満であり、前記第３の直径は、前記第２の直径より前記排出管腔の遠位部分の端部に近い、請求項１に記載の尿管カテーテル。
【請求項３０】
１つ以上の開口部は、円形である、請求項１５に記載の尿管カテーテル。
【請求項３１】
１つ以上の開口部は、非円形である、請求項１５に記載の尿管カテーテル。
【請求項３２】
前記漏斗状支持体の少なくとも１つの側壁は、凸面である、請求項１に記載の尿管カテーテル。
【請求項３３】
前記漏斗状支持体の少なくとも１つの側壁は、凹面である、請求項１に記載の尿管カテーテル。
【請求項３４】
前記漏斗状支持体の中心軸は、前記排出管腔の管の中心軸に対してオフセットされる、請求項１に記載の尿管カテーテル。
【請求項３５】
前記漏斗状支持体の保定部分の遠位端は、複数の略丸みを帯びた縁を備える、請求項１に記載の尿管カテーテル。
【請求項３６】
前記漏斗状支持体の少なくとも１つの側壁は、複数の葉状形状の縦方向襞を備える、請求項１に記載の尿管カテーテル。
【請求項３７】
少なくとも１つの葉状形状の縦方向襞は、少なくとも１つの縦方向支持部材を備える、請求項３６に記載の尿管カテーテル。
【請求項３８】
前記少なくとも１つの葉状形状の縦方向襞の遠位端は、少なくとも１つの支持部材を備える、請求項３６に記載の尿管カテーテル。
【請求項３９】
前記漏斗状支持体の少なくとも１つの側壁は、内側側壁と、外側側壁とを備え、前記内側側壁は、それを通して前記排出管腔の近位部分の内部の中への流体流動を可能にするための少なくとも１つの開口部を備える、請求項１に記載の尿管カテーテル。
【請求項４０】
前記漏斗状支持体は、前記側壁の内部に位置付けられる多孔性材料を含む、請求項１に記載の尿管カテーテル。
【請求項４１】
前記漏斗状支持体は、前記側壁の内部に隣接して位置付けられる多孔性ライナを備える、請求項１に記載の尿管カテーテル。
【請求項４２】
前記カテーテルは、前記患者の尿管の中への挿入のための収縮構成と前記尿管内での展開のための展開構成との間で遷移可能である、請求項１に記載の尿管カテーテル。
【請求項４３】
前記排出管腔は、少なくとも部分的に、銅、銀、金、ニッケル−チタン合金、ステンレス鋼、チタン、ポリウレタン、ポリ塩化ビニル、ポリテトラフルオロエチレン（ＰＴＦＥ）、ラテックス、およびシリコーンのうちの１つ以上のものから形成される、請求項１に記載の尿管カテーテル。
【請求項４４】
患者の尿路の一部内に負圧を誘発するためのシステムであって、前記システムは、
請求項１に記載の少なくとも１つの尿管カテーテルと、
前記排出管腔の近位部分に負圧を印加し、流体を前記尿管カテーテルの排出管腔を通して引き出すように構成されるポンプと
を備える、システム。
【請求項４５】
前記尿管および／または腎臓からの尿の流動は、前記カテーテルによる前記尿管および／または腎臓の閉塞によって妨害されない、請求項４４に記載のシステム。
【請求項４６】
前記漏斗状支持体は、略円錐形形状を有する、請求項４４に記載のシステム。
【請求項４７】
前記漏斗状支持体は、略半球形状を有する、請求項４４に記載のシステム。
【請求項４８】
前記漏斗状支持体は、前記排出管腔の遠位部分に隣接する基部部分を備え、前記基部部分は、流体が前記排出管腔の近位部分の内部の中に流動することを可能にするために前記排出管腔の近位部分の内部と整合される少なくとも１つの開口部を備える、請求項４４に記載のシステム。
【請求項４９】
前記基部部分の少なくとも１つの開口部は、約０．０５ｍｍ〜約４ｍｍに及ぶ直径を有する、請求項４８に記載のシステム。
【請求項５０】
前記漏斗状支持体の少なくとも１つの側壁は、前記漏斗状支持体の中心軸に沿って高さを有する、請求項４４に記載のシステム。
【請求項５１】
前記漏斗状支持体の少なくとも１つの側壁の高さは、約１ｍｍ〜約２５ｍｍに及ぶ、請求項５０に記載のシステム。
【請求項５２】
前記漏斗状支持体の少なくとも１つの側壁の高さ対第２の直径の比は、約１：２５〜約５：１に及ぶ、請求項５０に記載のシステム。
【請求項５３】
前記基部部分の少なくとも１つの開口部は、約０．０５ｍｍ〜約４ｍｍに及ぶ直径を有し、前記漏斗状支持体の少なくとも１つの側壁の高さは、約１ｍｍ〜約２５ｍｍに及び、前記漏斗状支持体の第２の直径は、約５ｍｍ〜約２５ｍｍに及ぶ、請求項４８に記載のシステム。
【請求項５４】
前記漏斗状支持体の少なくとも１つの側壁は、前記少なくとも１つの側壁の高さに沿って連続する、請求項４４に記載のシステム。
【請求項５５】
前記漏斗状支持体の少なくとも１つの側壁は、中実壁を備える、請求項４４に記載のシステム。
【請求項５６】
前記漏斗状支持体の少なくとも１つの側壁は、バルーンから形成される、請求項４４に記載のシステム。
【請求項５７】
前記漏斗状支持体の少なくとも１つの側壁は、前記少なくとも１つの側壁の高さに沿って不連続である、請求項４４に記載のシステム。
【請求項５８】
前記漏斗状支持体の少なくとも１つの側壁は、少なくとも１つの開口部を備える、請求項４４に記載のシステム。
【請求項５９】
前記少なくとも１つの開口部は、約０．００２ｍｍ２〜約１００ｍｍ２に及ぶ面積を有する、請求項４４に記載のシステム。
【請求項６０】
前記漏斗状支持体の少なくとも１つの側壁は、少なくとも、第１の直径を有する第１のコイルと、第２の直径を有する第２のコイルとを備え、前記第１の直径は、前記第２の直径未満であり、前記第１のコイルの側壁の一部と前記第２のコイルの隣接する側壁の一部との間の最大距離は、約０ｍｍ〜約１０ｍｍに及ぶ、請求項４４に記載のシステム。
【請求項６１】
前記第１のコイルの第１の直径は、約１ｍｍ〜約１０ｍｍに及び、前記第２のコイルの第２の直径は、約５ｍｍ〜約２５ｍｍに及ぶ、請求項６０に記載のシステム。
【請求項６２】
前記コイルの直径は、前記排出管腔の遠位端に向かって増加し、テーパ状または部分的テーパ状構成を有する螺旋構造をもたらす、請求項６０に記載のシステム。
【請求項６３】
前記漏斗状支持体の少なくとも１つの側壁は、メッシュを備え、前記メッシュは、それを通して流体が前記排出管腔の中に流動することを可能にするための複数の開口部を有し、前記開口部の最大面積は、最大約１００ｍｍ２である、請求項４４に記載のシステム。
【請求項６４】
前記漏斗状支持体の少なくとも１つの側壁は、内向きに向いた側と、外向きに向いた側とを備え、前記内向きに向いた側は、流体が前記排出管腔の中に流動することを可能にするための少なくとも１つの開口部を備え、前記外向きに向いた側は、開口部が本質的にないかまたはない、請求項４４に記載のシステム。
【請求項６５】
前記少なくとも１つの開口部は、約０．００２ｍｍ２〜約１００ｍｍ２に及ぶ面積を有する、請求項６４に記載のシステム。
【請求項６６】
前記第１のコイルは、半径方向内向きに向いた側と、半径方向外向きに向いた側とを備える側壁を備え、前記第１のコイルの半径方向内向きに向いた側は、流体が前記排出管腔の中に流動することを可能にするための少なくとも１つの開口部を備える、請求項６０に記載のシステム。
【請求項６７】
前記第１のコイルは、半径方向内向きに向いた側と、半径方向外向きに向いた側とを備える側壁を備え、前記第１のコイルの半径方向内向きに向いた側は、流体が前記排出管腔の中に流動することを可能にするための少なくとも２つの開口部を備える、請求項６０に記載のシステム。
【請求項６８】
前記第１のコイルは、半径方向内向きに向いた側と、半径方向外向きに向いた側とを備える側壁を備え、前記第１のコイルの半径方向外向きに向いた側は、１つ以上の開口部が本質的にないかまたはない、請求項６０に記載のシステム。
【請求項６９】
前記第１のコイルは、半径方向内向きに向いた側と、半径方向外向きに向いた側とを備える側壁を備え、前記第１のコイルの半径方向内向きに向いた側は、流体が前記排出管腔の中に流動することを可能にするための少なくとも１つの開口部を備え、前記半径方向外向きに向いた側は、１つ以上の開口部が本質的にないかまたはない、請求項６０に記載のシステム。
【請求項７０】
前記排出管腔の側壁上の少なくとも１つの開口部は、負圧によって、前記排出管腔の中への流体流動を可能にする、請求項５８に記載のシステム。
【請求項７１】
前記排出管腔の保定部分はさらに、流体が前記排出管腔の中に流動することを可能にするための開放遠位端を備える、請求項４４に記載のシステム。
【請求項７２】
前記漏斗状支持体は、第３の直径を備え、前記第３の直径は、前記第２の直径未満であり、前記第３の直径は、前記第２の直径より前記排出管腔の遠位部分の端部に近い、請求項４４に記載のシステム。
【請求項７３】
１つ以上の開口部は、円形である、請求項５８に記載のシステム。
【請求項７４】
１つ以上の開口部は、非円形である、請求項５８に記載のシステム。
【請求項７５】
前記漏斗状支持体の少なくとも１つの側壁は、凸面である、請求項４４に記載のシステム。
【請求項７６】
前記漏斗状支持体の少なくとも１つの側壁は、凹面である、請求項４４に記載のシステム。
【請求項７７】
前記漏斗状支持体の中心軸は、前記排出管腔の管の中心軸に対してオフセットされる、請求項４４に記載のシステム。
【請求項７８】
前記漏斗状支持体の保定部分の遠位端は、複数の略丸みを帯びた縁を備える、請求項４４に記載のシステム。
【請求項７９】
前記漏斗状支持体の少なくとも１つの側壁は、複数の葉状形状の縦方向襞を備える、請求項４４に記載のシステム。
【請求項８０】
少なくとも１つの葉状形状の縦方向襞は、少なくとも１つの縦方向支持部材を備える、請求項７９に記載のシステム。
【請求項８１】
前記少なくとも１つの葉状形状の縦方向襞の遠位端は、少なくとも１つの支持部材を備える、請求項７９に記載のシステム。
【請求項８２】
前記漏斗状支持体の少なくとも１つの側壁は、内側側壁と、外側側壁とを備え、前記内側側壁は、それを通して前記排出管腔の近位部分の内部の中への流体流動を可能にするための少なくとも１つの開口部を備える、請求項４４に記載のシステム。
【請求項８３】
前記漏斗状支持体は、前記側壁の内部に位置付けられる多孔性材料を含む、請求項４４に記載のシステム。
【請求項８４】
前記漏斗状支持体は、前記側壁の内部に隣接して位置付けられる多孔性ライナを備える、請求項４４に記載のシステム。
【請求項８５】
前記カテーテルは、前記患者の尿管の中への挿入のための収縮構成と前記尿管内での展開のための展開構成との間で遷移可能である、請求項４４に記載のシステム。
【請求項８６】
前記排出管腔は、少なくとも部分的に、銅、銀、金、ニッケル−チタン合金、ステンレス鋼、チタン、ポリウレタン、ポリ塩化ビニル、ポリテトラフルオロエチレン（ＰＴＦＥ）、ラテックス、およびシリコーンのうちの１つ以上のものから形成される、請求項４４に記載のシステム。
【手続補正２】
【補正対象書類名】明細書
【補正対象項目名】０１５５
【補正方法】変更
【補正の内容】
【０１５５】
付記１２９．排出管腔は、少なくとも部分的に、銅、銀、金、ニッケル−チタン合金、ステンレス鋼、チタン、ポリウレタン、ポリ塩化ビニル、ポリテトラフルオロエチレン（ＰＴＦＥ）、ラテックス、およびシリコーンのうちの１つ以上のものから形成される、付記８７に記載のシステム。
本発明は、例えば、以下を提供する。
（項目１）
腎臓からの排尿を促進するための方法であって、
（ａ）カテーテルを患者の腎臓、腎盂、または前記腎盂に隣接する尿管内のうちの少なくとも１つに挿入することであって、前記カテーテルは、
排出管腔であって、前記排出管腔は、患者の腎臓、腎盂内、および／または前記腎盂に隣接する尿管内に位置付けられるように構成される遠位部分と、近位部分とを備え、前記遠位部分は、少なくとも１つの側壁を備える漏斗状支持体を備える保定部分を備え、前記漏斗状支持体は、第１の直径と、第２の直径とを備え、前記第１の直径は、前記第２の直径未満であり、前記第２の直径は、前記第１の直径より前記排出管腔の遠位部分の端部に近く、前記排出管腔の近位部分は、開口部が本質的にないかまたはない、排出管腔
を備える、ことと、
（ｂ）時間周期にわたって、負圧を前記排出管腔の近位部分に印加し、前記腎臓からの排尿を促進することと
を含む、方法。
（項目２）
前記尿管および／または腎臓からの尿の流動は、前記カテーテルによる前記尿管および／または腎臓の閉塞によって妨害されない、項目１に記載の方法。
（項目３）
前記漏斗状支持体は、略円錐形形状を有する、項目１に記載の方法。
（項目４）
前記漏斗状支持体は、略半球形状を有する、項目１に記載の方法。
（項目５）
前記漏斗状支持体は、前記排出管腔の遠位部分に隣接する基部部分を備え、前記基部部分は、流体が前記排出管腔の近位部分の内部の中に流動することを可能にするために前記排出管腔の近位部分の内部と整合される少なくとも１つの開口部を備える、項目１に記載の方法。
（項目６）
前記基部部分の少なくとも１つの開口部は、約０．０５ｍｍ〜約４ｍｍに及ぶ直径を有する、項目５に記載の方法。
（項目７）
前記漏斗状支持体の少なくとも１つの側壁は、前記漏斗状支持体の中心軸に沿って高さを有する、項目１に記載の方法。
（項目８）
前記漏斗状支持体の少なくとも１つの側壁の高さは、約１ｍｍ〜約２５ｍｍに及ぶ、項目７に記載の方法。
（項目９）
前記漏斗状支持体の少なくとも１つの側壁の高さ対第２の直径の比は、約１：２５〜約５：１に及ぶ、項目７に記載の方法。
（項目１０）
前記基部部分の少なくとも１つの開口部は、約０．０５ｍｍ〜約４ｍｍに及ぶ直径を有し、前記漏斗状支持体の少なくとも１つの側壁の高さは、約１ｍｍ〜約２５ｍｍに及び、前記漏斗状支持体の第２の直径は、約５ｍｍ〜約２５ｍｍに及ぶ、項目５に記載の方法。
（項目１１）
前記漏斗状支持体の少なくとも１つの側壁は、前記少なくとも１つの側壁の高さに沿って連続する、項目１に記載の方法。
（項目１２）
前記漏斗状支持体の少なくとも１つの側壁は、中実壁を備える、項目１に記載の方法。
（項目１３）
前記漏斗状支持体の少なくとも１つの側壁は、バルーンから形成される、項目１に記載の方法。
（項目１４）
前記漏斗状支持体の少なくとも１つの側壁は、前記少なくとも１つの側壁の高さに沿って不連続である、項目１に記載の方法。
（項目１５）
前記漏斗状支持体の少なくとも１つの側壁は、少なくとも１つの開口部を備える、項目１に記載の方法。
（項目１６）
前記少なくとも１つの開口部は、約０．００２ｍｍ２〜約１００ｍｍ２に及ぶ面積を有する、項目１に記載の方法。
（項目１７）
前記漏斗状支持体の少なくとも１つの側壁は、少なくとも、第１の直径を有する第１のコイルと、第２の直径を有する第２のコイルとを備え、前記第１の直径は、前記第２の直径未満であり、前記第１のコイルの側壁の一部と前記第２のコイルの隣接する側壁の一部との間の最大距離は、約０ｍｍ〜約１０ｍｍに及ぶ、項目１に記載の方法。
（項目１８）
前記第１のコイルの第１の直径は、約１ｍｍ〜約１０ｍｍに及び、前記第２のコイルの第２の直径は、約５ｍｍ〜約２５ｍｍに及ぶ、項目１７に記載の方法。
（項目１９）
前記コイルの直径は、前記排出管腔の遠位端に向かって増加し、テーパ状または部分的テーパ状構成を有する螺旋構造をもたらす、項目１７に記載の方法。
（項目２０）
前記漏斗状支持体の少なくとも１つの側壁は、メッシュを備え、前記メッシュは、それを通して流体が前記排出管腔の中に流動することを可能にするための複数の開口部を有し、前記開口部の最大面積は、最大約１００ｍｍ２である、項目１に記載の方法。
（項目２１）
前記漏斗状支持体の少なくとも１つの側壁は、内向きに向いた側と、外向きに向いた側とを備え、前記内向きに向いた側は、流体が前記排出管腔の中に流動することを可能にするための少なくとも１つの開口部を備え、前記外向きに向いた側は、開口部が本質的にないかまたはない、項目１に記載の方法。
（項目２２）
前記少なくとも１つの開口部は、約０．００２ｍｍ２〜約１００ｍｍ２に及ぶ面積を有する、項目２１に記載の方法。
（項目２３）
前記第１のコイルは、半径方向内向きに向いた側と、半径方向外向きに向いた側とを備える側壁を備え、前記第１のコイルの半径方向内向きに向いた側は、流体が前記排出管腔の中に流動することを可能にするための少なくとも１つの開口部を備える、項目１７に記載の方法。
（項目２４）
前記第１のコイルは、半径方向内向きに向いた側と、半径方向外向きに向いた側とを備える側壁を備え、前記第１のコイルの半径方向内向きに向いた側は、流体が前記排出管腔の中に流動することを可能にするための少なくとも２つの開口部を備える、項目１７に記載の方法。
（項目２５）
前記第１のコイルは、半径方向内向きに向いた側と、半径方向外向きに向いた側とを備える側壁を備え、前記第１のコイルの半径方向外向きに向いた側は、１つ以上の開口部が本質的にないかまたはない、項目１７に記載の方法。
（項目２６）
前記第１のコイルは、半径方向内向きに向いた側と、半径方向外向きに向いた側とを備える側壁を備え、前記第１のコイルの半径方向内向きに向いた側は、流体が前記排出管腔の中に流動することを可能にするための少なくとも１つの開口部を備え、前記半径方向外向きに向いた側は、１つ以上の開口部が本質的にないかまたはない、項目１７に記載の方法。
（項目２７）
前記排出管腔の側壁上の少なくとも１つの開口部は、負圧によって、前記排出管腔の中への流体流動を可能にする、項目１５に記載の方法。
（項目２８）
前記排出管腔の保定部分はさらに、流体が前記排出管腔の中に流動することを可能にするための開放遠位端を備える、項目１に記載の方法。
（項目２９）
前記漏斗状支持体は、少なくとも第３の直径を備え、前記第３の直径は、前記第２の直径未満であり、前記第３の直径は、前記第２の直径より前記排出管腔の遠位部分の端部に近い、項目１に記載の方法。
（項目３０）
１つ以上の開口部は、円形である、項目１５に記載の方法。
（項目３１）
１つ以上の開口部は、非円形である、項目１５に記載の方法。
（項目３２）
前記漏斗状支持体の少なくとも１つの側壁は、凸面である、項目１に記載の方法。
（項目３３）
前記漏斗状支持体の少なくとも１つの側壁は、凹面である、項目１に記載の方法。
（項目３４）
前記漏斗状支持体の中心軸は、前記排出管腔の管の中心軸に対してオフセットされる、項目１に記載の方法。
（項目３５）
前記漏斗状支持体の保定部分の遠位端は、複数の略丸みを帯びた縁を備える、項目１に記載の方法。
（項目３６）
前記漏斗状支持体の少なくとも１つの側壁は、複数の葉状形状の縦方向襞を備える、項目１に記載の方法。
（項目３７）
少なくとも１つの葉状形状の縦方向襞は、少なくとも１つの縦方向支持部材を備える、項目３６に記載の方法。
（項目３８）
前記少なくとも１つの葉状形状の縦方向襞の遠位端は、少なくとも１つの支持部材を備える、項目３６に記載の方法。
（項目３９）
前記漏斗状支持体の少なくとも１つの側壁は、内側側壁と、外側側壁とを備え、前記内側側壁は、それを通して前記排出管腔の近位部分の内部の中への流体流動を可能にするための少なくとも１つの開口部を備える、項目１に記載の方法。
（項目４０）
前記漏斗状支持体は、前記側壁の内部に位置付けられる多孔性材料を含む、項目１に記載の方法。
（項目４１）
前記漏斗状支持体は、前記側壁の内部に隣接して位置付けられる多孔性ライナを備える、項目１に記載の方法。
（項目４２）
前記カテーテルは、前記患者の尿管の中への挿入のための収縮構成と前記尿管内での展開のための展開構成との間で遷移可能である、項目１に記載の方法。
（項目４３）
前記排出管腔は、少なくとも部分的に、銅、銀、金、ニッケル−チタン合金、ステンレス鋼、チタン、ポリウレタン、ポリ塩化ビニル、ポリテトラフルオロエチレン（ＰＴＦＥ）、ラテックス、およびシリコーンのうちの１つ以上のものから形成される、項目１に記載の方法。
（項目４４）
尿管カテーテルであって、
排出管腔であって、前記排出管腔は、患者の腎臓、腎盂内、および／または前記腎盂に隣接する尿管内に位置付けられるように構成される遠位部分と、近位部分とを備え、前記遠位部分は、少なくとも１つの側壁を備える漏斗状支持体を備える保定部分を備え、前記漏斗状支持体は、第１の直径と、第２の直径とを備え、前記第１の直径は、前記第２の直径未満であり、前記第２の直径は、前記第１の直径より前記排出管腔の遠位部分の端部に近く、前記排出管腔の近位部分は、開口部が本質的にないかまたはない、排出管腔
を備える、尿管カテーテル。
（項目４５）
前記尿管および／または腎臓からの尿の流動は、前記カテーテルによる前記尿管および／または腎臓の閉塞によって妨害されない、項目４４に記載の尿管カテーテル。
（項目４６）
前記漏斗状支持体は、略円錐形形状を有する、項目４４に記載の尿管カテーテル。
（項目４７）
前記漏斗状支持体は、略半球形状を有する、項目４４に記載の尿管カテーテル。
（項目４８）
前記漏斗状支持体は、前記排出管腔の遠位部分に隣接する基部部分を備え、前記基部部分は、流体が前記排出管腔の近位部分の内部の中に流動することを可能にするために前記排出管腔の近位部分の内部と整合される少なくとも１つの開口部を備える、項目４４に記載の尿管カテーテル。
（項目４９）
前記基部部分の少なくとも１つの開口部は、約０．０５ｍｍ〜約４ｍｍに及ぶ直径を有する、項目４８に記載の尿管カテーテル。
（項目５０）
前記漏斗状支持体の少なくとも１つの側壁は、前記漏斗状支持体の中心軸に沿って高さを有する、項目４４に記載の尿管カテーテル。
（項目５１）
前記漏斗状支持体の少なくとも１つの側壁の高さは、約１ｍｍ〜約２５ｍｍに及ぶ、項目５０に記載の尿管カテーテル。
（項目５２）
前記漏斗状支持体の少なくとも１つの側壁の高さ対第２の直径の比は、約１：２５〜約５：１に及ぶ、項目５０に記載の尿管カテーテル。
（項目５３）
前記基部部分の少なくとも１つの開口部は、約０．０５ｍｍ〜約４ｍｍに及ぶ直径を有し、前記漏斗状支持体の少なくとも１つの側壁の高さは、約１ｍｍ〜約２５ｍｍに及び、前記漏斗状支持体の第２の直径は、約５ｍｍ〜約２５ｍｍに及ぶ、項目４８に記載の尿管カテーテル。
（項目５４）
前記漏斗状支持体の少なくとも１つの側壁は、前記少なくとも１つの側壁の高さに沿って連続する、項目４４に記載の尿管カテーテル。
（項目５５）
前記漏斗状支持体の少なくとも１つの側壁は、中実壁を備える、項目４４に記載の尿管カテーテル。
（項目５６）
前記漏斗状支持体の少なくとも１つの側壁は、バルーンから形成される、項目４４に記載の尿管カテーテル。
（項目５７）
前記漏斗状支持体の少なくとも１つの側壁は、前記少なくとも１つの側壁の高さに沿って不連続である、項目４４に記載の尿管カテーテル。
（項目５８）
前記漏斗状支持体の少なくとも１つの側壁は、少なくとも１つの開口部を備える、項目４４に記載の尿管カテーテル。
（項目５９）
前記少なくとも１つの開口部は、約０．００２ｍｍ２〜約１００ｍｍ２に及ぶ面積を有する、項目４４に記載の尿管カテーテル。
（項目６０）
前記漏斗状支持体の少なくとも１つの側壁は、少なくとも、第１の直径を有する第１のコイルと、第２の直径を有する第２のコイルとを備え、前記第１の直径は、前記第２の直径未満であり、前記第１のコイルの側壁の一部と前記第２のコイルの隣接する側壁の一部との間の最大距離は、約０ｍｍ〜約１０ｍｍに及ぶ、項目４４に記載の尿管カテーテル。
（項目６１）
前記第１のコイルの第１の直径は、約１ｍｍ〜約１０ｍｍに及び、前記第２のコイルの第２の直径は、約５ｍｍ〜約２５ｍｍに及ぶ、項目６０に記載の尿管カテーテル。
（項目６２）
前記コイルの直径は、前記排出管腔の遠位端に向かって増加し、テーパ状または部分的テーパ状構成を有する螺旋構造をもたらす、項目６０に記載の尿管カテーテル。
（項目６３）
前記漏斗状支持体の少なくとも１つの側壁は、メッシュを備え、前記メッシュは、それを通して流体が前記排出管腔の中に流動することを可能にするための複数の開口部を有し、前記開口部の最大面積は、最大約１００ｍｍ２である、項目４４に記載の尿管カテーテル。
（項目６４）
前記漏斗状支持体の少なくとも１つの側壁は、内向きに向いた側と、外向きに向いた側とを備え、前記内向きに向いた側は、流体が前記排出管腔の中に流動することを可能にするための少なくとも１つの開口部を備え、前記外向きに向いた側は、開口部が本質的にないかまたはない、項目４４に記載の尿管カテーテル。
（項目６５）
前記少なくとも１つの開口部は、約０．００２ｍｍ２〜約１００ｍｍ２に及ぶ面積を有する、項目６４に記載の尿管カテーテル。
（項目６６）
前記第１のコイルは、半径方向内向きに向いた側と、半径方向外向きに向いた側とを備える側壁を備え、前記第１のコイルの半径方向内向きに向いた側は、流体が前記排出管腔の中に流動することを可能にするための少なくとも１つの開口部を備える、項目６０に記載の尿管カテーテル。
（項目６７）
前記第１のコイルは、半径方向内向きに向いた側と、半径方向外向きに向いた側とを備える側壁を備え、前記第１のコイルの半径方向内向きに向いた側は、流体が前記排出管腔の中に流動することを可能にするための少なくとも２つの開口部を備える、項目６０に記載の尿管カテーテル。
（項目６８）
前記第１のコイルは、半径方向内向きに向いた側と、半径方向外向きに向いた側とを備える側壁を備え、前記第１のコイルの半径方向外向きに向いた側は、１つ以上の開口部が本質的にないかまたはない、項目６０に記載の尿管カテーテル。
（項目６９）
前記第１のコイルは、半径方向内向きに向いた側と、半径方向外向きに向いた側とを備える側壁を備え、前記第１のコイルの半径方向内向きに向いた側は、流体が前記排出管腔の中に流動することを可能にするための少なくとも１つの開口部を備え、前記半径方向外向きに向いた側は、１つ以上の開口部が本質的にないかまたはない、項目６０に記載の尿管カテーテル。
（項目７０）
前記排出管腔の側壁上の少なくとも１つの開口部は、負圧によって、前記排出管腔の中への流体流動を可能にする、項目５８に記載の尿管カテーテル。
（項目７１）
前記排出管腔の保定部分はさらに、流体が前記排出管腔の中に流動することを可能にするための開放遠位端を備える、項目４４に記載の尿管カテーテル。
（項目７２）
前記漏斗状支持体は、第３の直径を備え、前記第３の直径は、前記第２の直径未満であり、前記第３の直径は、前記第２の直径より前記排出管腔の遠位部分の端部に近い、項目４に記載の尿管カテーテル。
（項目７３）
１つ以上の開口部は、円形である、項目５８に記載の尿管カテーテル。
（項目７４）
１つ以上の開口部は、非円形である、項目５８に記載の尿管カテーテル。
（項目７５）
前記漏斗状支持体の少なくとも１つの側壁は、凸面である、項目４４に記載の尿管カテーテル。
（項目７６）
前記漏斗状支持体の少なくとも１つの側壁は、凹面である、項目４４に記載の尿管カテーテル。
（項目７７）
前記漏斗状支持体の中心軸は、前記排出管腔の管の中心軸に対してオフセットされる、項目４４に記載の尿管カテーテル。
（項目７８）
前記漏斗状支持体の保定部分の遠位端は、複数の略丸みを帯びた縁を備える、項目４４に記載の尿管カテーテル。
（項目７９）
前記漏斗状支持体の少なくとも１つの側壁は、複数の葉状形状の縦方向襞を備える、項目４４に記載の尿管カテーテル。
（項目８０）
少なくとも１つの葉状形状の縦方向襞は、少なくとも１つの縦方向支持部材を備える、項目７９に記載の尿管カテーテル。
（項目８１）
前記少なくとも１つの葉状形状の縦方向襞の遠位端は、少なくとも１つの支持部材を備える、項目７９に記載の尿管カテーテル。
（項目８２）
前記漏斗状支持体の少なくとも１つの側壁は、内側側壁と、外側側壁とを備え、前記内側側壁は、それを通して前記排出管腔の近位部分の内部の中への流体流動を可能にするための少なくとも１つの開口部を備える、項目４４に記載の尿管カテーテル。
（項目８３）
前記漏斗状支持体は、前記側壁の内部に位置付けられる多孔性材料を含む、項目４４に記載の尿管カテーテル。
（項目８４）
前記漏斗状支持体は、前記側壁の内部に隣接して位置付けられる多孔性ライナを備える、項目４４に記載の尿管カテーテル。
（項目８５）
前記カテーテルは、前記患者の尿管の中への挿入のための収縮構成と前記尿管内での展開のための展開構成との間で遷移可能である、項目４４に記載の尿管カテーテル。
（項目８６）
前記排出管腔は、少なくとも部分的に、銅、銀、金、ニッケル−チタン合金、ステンレス鋼、チタン、ポリウレタン、ポリ塩化ビニル、ポリテトラフルオロエチレン（ＰＴＦＥ）、ラテックス、およびシリコーンのうちの１つ以上のものから形成される、項目４４に記載の尿管カテーテル。
（項目８７）
患者の尿路の一部内に負圧を誘発するためのシステムであって、前記システムは、
少なくとも１つの尿管カテーテルであって、前記少なくとも１つの尿管カテーテルは、排出管腔を備え、前記排出管腔は、患者の腎臓、腎盂内、および／または前記腎盂に隣接する尿管内に位置付けられるように構成される遠位部分と、近位部分とを備え、前記遠位部分は、少なくとも１つの側壁を備える漏斗状支持体を備える保定部分を備え、前記漏斗状支持体は、第１の直径と、第２の直径とを備え、前記第１の直径は、前記第２の直径未満であり、前記第２の直径は、前記第１の直径より前記排出管腔の遠位部分の端部に近く、前記排出管腔の近位部分は、開口部が本質的にないかまたはなく、前記保定部分の直径が前記排出管腔部分の直径よりも大きい展開位置に延在されるように構成され、前記漏斗状支持体は、流体が前記排出管腔の中に流動することを可能にするための少なくとも１つの排出開口部を備える、少なくとも１つの尿管カテーテルと、
前記排出管腔の近位部分と流体連通するポンプであって、前記ポンプは、前記患者の尿路の一部内に負圧を誘発し、流体を前記尿管カテーテルの排出管腔を通して引き出すために構成される、ポンプと
を備える、システム。
（項目８８）
前記尿管および／または腎臓からの尿の流動は、前記カテーテルによる前記尿管および／または腎臓の閉塞によって妨害されない、項目８７に記載のシステム。
（項目８９）
前記漏斗状支持体は、略円錐形形状を有する、項目８７に記載のシステム。
（項目９０）
前記漏斗状支持体は、略半球形状を有する、項目８７に記載のシステム。
（項目９１）
前記漏斗状支持体は、前記排出管腔の遠位部分に隣接する基部部分を備え、前記基部部分は、流体が前記排出管腔の近位部分の内部の中に流動することを可能にするために前記排出管腔の近位部分の内部と整合される少なくとも１つの開口部を備える、項目８７に記載のシステム。
（項目９２）
前記基部部分の少なくとも１つの開口部は、約０．０５ｍｍ〜約４ｍｍに及ぶ直径を有する、項目９１に記載のシステム。
（項目９３）
前記漏斗状支持体の少なくとも１つの側壁は、前記漏斗状支持体の中心軸に沿って高さを有する、項目８７に記載のシステム。
（項目９４）
前記漏斗状支持体の少なくとも１つの側壁の高さは、約１ｍｍ〜約２５ｍｍに及ぶ、項目９３に記載のシステム。
（項目９５）
前記漏斗状支持体の少なくとも１つの側壁の高さ対第２の直径の比は、約１：２５〜約５：１に及ぶ、項目９３に記載のシステム。
（項目９６）
前記基部部分の少なくとも１つの開口部は、約０．０５ｍｍ〜約４ｍｍに及ぶ直径を有し、前記漏斗状支持体の少なくとも１つの側壁の高さは、約１ｍｍ〜約２５ｍｍに及び、前記漏斗状支持体の第２の直径は、約５ｍｍ〜約２５ｍｍに及ぶ、項目９１に記載のシステム。
（項目９７）
前記漏斗状支持体の少なくとも１つの側壁は、前記少なくとも１つの側壁の高さに沿って連続する、項目８７に記載のシステム。
（項目９８）
前記漏斗状支持体の少なくとも１つの側壁は、中実壁を備える、項目８７に記載のシステム。
（項目９９）
前記漏斗状支持体の少なくとも１つの側壁は、バルーンから形成される、項目８７に記載のシステム。
（項目１００）
前記漏斗状支持体の少なくとも１つの側壁は、前記少なくとも１つの側壁の高さに沿って不連続である、項目８７に記載のシステム。
（項目１０１）
前記漏斗状支持体の少なくとも１つの側壁は、少なくとも１つの開口部を備える、項目８７に記載のシステム。
（項目１０２）
前記少なくとも１つの開口部は、約０．００２ｍｍ２〜約１００ｍｍ２に及ぶ面積を有する、項目８７に記載のシステム。
（項目１０３）
前記漏斗状支持体の少なくとも１つの側壁は、少なくとも、第１の直径を有する第１のコイルと、第２の直径を有する第２のコイルとを備え、前記第１の直径は、前記第２の直径未満であり、前記第１のコイルの側壁の一部と前記第２のコイルの隣接する側壁の一部との間の最大距離は、約０ｍｍ〜約１０ｍｍに及ぶ、項目８７に記載のシステム。
（項目１０４）
前記第１のコイルの第１の直径は、約１ｍｍ〜約１０ｍｍに及び、前記第２のコイルの第２の直径は、約５ｍｍ〜約２５ｍｍに及ぶ、項目１０３に記載のシステム。
（項目１０５）
前記コイルの直径は、前記排出管腔の遠位端に向かって増加し、テーパ状または部分的テーパ状構成を有する螺旋構造をもたらす、項目１０３に記載のシステム。
（項目１０６）
前記漏斗状支持体の少なくとも１つの側壁は、メッシュを備え、前記メッシュは、それを通して流体が前記排出管腔の中に流動することを可能にするための複数の開口部を有し、前記開口部の最大面積は、最大約１００ｍｍ２である、項目８７に記載のシステム。
（項目１０７）
前記漏斗状支持体の少なくとも１つの側壁は、内向きに向いた側と、外向きに向いた側とを備え、前記内向きに向いた側は、流体が前記排出管腔の中に流動することを可能にするための少なくとも１つの開口部を備え、前記外向きに向いた側は、開口部が本質的にないかまたはない、項目８７に記載のシステム。
（項目１０８）
前記少なくとも１つの開口部は、約０．００２ｍｍ２〜約１００ｍｍ２に及ぶ面積を有する、項目１０７に記載のシステム。
（項目１０９）
前記第１のコイルは、半径方向内向きに向いた側と、半径方向外向きに向いた側とを備える側壁を備え、前記第１のコイルの半径方向内向きに向いた側は、流体が前記排出管腔の中に流動することを可能にするための少なくとも１つの開口部を備える、項目１０３に記載のシステム。
（項目１１０）
前記第１のコイルは、半径方向内向きに向いた側と、半径方向外向きに向いた側とを備える側壁を備え、前記第１のコイルの半径方向内向きに向いた側は、流体が前記排出管腔の中に流動することを可能にするための少なくとも２つの開口部を備える、項目１０３に記載のシステム。
（項目１１１）
前記第１のコイルは、半径方向内向きに向いた側と、半径方向外向きに向いた側とを備える側壁を備え、前記第１のコイルの半径方向外向きに向いた側は、１つ以上の開口部が本質的にないかまたはない、項目１０３に記載のシステム。
（項目１１２）
前記第１のコイルは、半径方向内向きに向いた側と、半径方向外向きに向いた側とを備える側壁を備え、前記第１のコイルの半径方向内向きに向いた側は、流体が前記排出管腔の中に流動することを可能にするための少なくとも１つの開口部を備え、前記半径方向外向きに向いた側は、１つ以上の開口部が本質的にないかまたはない、項目１０３に記載のシステム。
（項目１１３）
前記排出管腔の側壁上の少なくとも１つの開口部は、負圧によって、前記排出管腔の中への流体流動を可能にする、項目１０１に記載のシステム。
（項目１１４）
前記排出管腔の保定部分はさらに、流体が前記排出管腔の中に流動することを可能にするための開放遠位端を備える、項目８７に記載のシステム。
（項目１１５）
前記漏斗状支持体は、第３の直径を備え、前記第３の直径は、前記第２の直径未満であり、前記第３の直径は、前記第２の直径より前記排出管腔の遠位部分の端部に近い、項目８７に記載のシステム。
（項目１１６）
１つ以上の開口部は、円形である、項目１０１に記載のシステム。
（項目１１７）
１つ以上の開口部は、非円形である、項目１０１に記載のシステム。
（項目１１８）
前記漏斗状支持体の少なくとも１つの側壁は、凸面である、項目８７に記載のシステム。
（項目１１９）
前記漏斗状支持体の少なくとも１つの側壁は、凹面である、項目８７に記載のシステム。
（項目１２０）
前記漏斗状支持体の中心軸は、前記排出管腔の管の中心軸に対してオフセットされる、項目８７に記載のシステム。
（項目１２１）
前記漏斗状支持体の保定部分の遠位端は、複数の略丸みを帯びた縁を備える、項目８７に記載のシステム。
（項目１２２）
前記漏斗状支持体の少なくとも１つの側壁は、複数の葉状形状の縦方向襞を備える、項目８７に記載のシステム。
（項目１２３）
少なくとも１つの葉状形状の縦方向襞は、少なくとも１つの縦方向支持部材を備える、項目１２２に記載のシステム。
（項目１２４）
前記少なくとも１つの葉状形状の縦方向襞の遠位端は、少なくとも１つの支持部材を備える、項目１２２に記載のシステム。
（項目１２５）
前記漏斗状支持体の少なくとも１つの側壁は、内側側壁と、外側側壁とを備え、前記内側側壁は、それを通して前記排出管腔の近位部分の内部の中への流体流動を可能にするための少なくとも１つの開口部を備える、項目８７に記載のシステム。
（項目１２６）
前記漏斗状支持体は、前記側壁の内部に位置付けられる多孔性材料を含む、項目８７に記載のシステム。
（項目１２７）
前記漏斗状支持体は、前記側壁の内部に隣接して位置付けられる多孔性ライナを備える、項目８７に記載のシステム。
（項目１２８）
前記カテーテルは、前記患者の尿管の中への挿入のための収縮構成と前記尿管内での展開のための展開構成との間で遷移可能である、項目８７に記載のシステム。
（項目１２９）
前記排出管腔は、少なくとも部分的に、銅、銀、金、ニッケル−チタン合金、ステンレス鋼、チタン、ポリウレタン、ポリ塩化ビニル、ポリテトラフルオロエチレン（ＰＴＦＥ）、ラテックス、およびシリコーンのうちの１つ以上のものから形成される、項目８７に記載のシステム。